(57)【特許請求の範囲】
【請求項１】
照射対象を囲うように設けられるフレーム構造を含み、前記フレーム構造内の複数の位置から前記照射対象に向けて紫外線を照射でき、前記複数の位置から紫外線の照射方向と同じ方向に可視光を照射できるよう構成される照射装置と、
前記照射装置の動作が定められる照射パターンを保持し、照射パターンにしたがって前記複数の位置の少なくとも一部から紫外線を照射させることにより前記照射対象の一部領域に選択的に紫外線を照射させる制御装置と、を備え、
前記制御装置は、照射パターンにしたがって紫外線を照射させる前に、照射パターンにしたがって前記複数の位置の少なくとも一部から可視光を照射させることにより前記一部領域に選択的に可視光を照射させることを特徴とする紫外線治療装置。
【請求項２】
前記照射対象の位置に配置可能な紫外線照度計をさらに備え、
前記制御装置は、前記紫外線照度計の測定結果に基づいて前記照射対象に向けて照射する紫外線の照射時間を決定することを特徴とする請求項１に記載の紫外線治療装置。
【請求項３】
前記制御装置は、前記紫外線照度計の測定結果に基づいて前記照射対象に向けて前記複数の位置のそれぞれから照射する紫外線強度を決定することを特徴とする請求項２に記載の紫外線治療装置。
【請求項４】
前記照射装置は、前記フレーム構造内の前記複数の位置に取り付けられる複数の紫外線発光素子と、前記複数の紫外線発光素子に隣接する位置に取り付けられる複数の可視光発光素子と、を含み、
前記複数の可視光発光素子のそれぞれは、隣接する紫外線発光素子の照射方向と同じ方向に可視光を照射するよう構成されることを特徴とする請求項１から３のいずれか一項に記載の紫外線治療装置。
【請求項５】
前記照射装置は、紫外線発光素子および可視光発光素子を有する照射部と、前記照射部を前記フレーム構造に沿って移動させる移動機構と、を含むことを特徴とする請求項１から３のいずれか一項に記載の紫外線治療装置。
【請求項６】
前記照射部は、前記紫外線発光素子が発する紫外線および前記可視光発光素子が発する可視光を前記照射対象に向かうビーム光に変換する光学素子をさらに有することを特徴とする請求項５に記載の紫外線治療装置。
【請求項７】
前記制御装置は、前記照射パターンにしたがって前記移動機構を用いて前記照射部を移動させながら紫外線を照射させることにより前記照射対象の一部領域に選択的に紫外線を照射させ、前記照射パターンにしたがって紫外線を照射させる前に、前記照射パターンにしたがって前記照射部を移動させながら可視光を照射させることにより前記一部領域に選択的に可視光を照射させることを特徴とする請求項５または６に記載の紫外線治療装置。
【請求項８】
前記フレーム構造に取り付けられ、前記照射対象を撮影する撮像装置をさらに備え、
前記制御装置は、前記撮像装置からの画像データに基づいて前記照射パターンを決定することを特徴とする請求項１から７のいずれか一項に記載の紫外線治療装置。
【請求項９】
前記フレーム構造は、球形状、多面体形状、円柱形状または多角柱形状を有することを特徴とする請求項１から８のいずれか一項に記載の紫外線治療装置。
【請求項１０】
前記照射装置は、前記フレーム構造に取り付けられ、紫外線を吸収して可視光を透過する材料で構成されるカバーをさらに含むことを特徴とする請求項１から９のいずれか一項に記載の紫外線治療装置。
【発明の詳細な説明】
【技術分野】
【０００１】
本発明は、紫外線治療に用いる装置に関し、特に、紫外線を照射するための装置に関する。
【背景技術】
【０００２】
特定の皮膚疾患に対する治療方法として紫外線治療が用いられる。例えば、尋常性乾癬や掌蹠膿疱症、アトピー性皮膚炎などの炎症疾患から、尋常性白斑などの色素性疾患、円形脱毛症、皮膚悪性リンパ腫といった悪性腫瘍まで幅広い種類の皮膚疾患に対して、患部に長波長紫外線（ＵＶＡ波）や中波長紫外線（ＵＶＢ波）などを所定のエネルギー量で照射することで治療がなされる。紫外線治療に用いる主な機器として、ＵＶＡ波照射装置、ＵＶＢ波照射装置、ナローバンドＵＶＢ（ＮＢ−ＵＶＢ）照射装置などがあり、それぞれ蛍光ランプを光源として使用している。近年では、治療効果が高い紫外線として３０８ｎｍの紫外線が注目されており、３０８ｎｍの波長が出力可能な光源としてキセノンクロライド（ＸｅＣｌ）のエキシマ放電ランプ（いわゆるエキシマライト）が用いられる（例えば、特許文献１参照）。
【先行技術文献】
【特許文献】
【０００３】
【特許文献１】特開２００８−７３１４８号公報
【発明の概要】
【発明が解決しようとする課題】
【０００４】
上述の蛍光ランプ及びエキシマ放電ランプは、点光源または線光源のように機能するため、一つの光源を用いて広い範囲に均一な強度で紫外線を照射することが難しい。また、照射部位は、顔面や四肢などをはじめとして身体上の立体的な曲面であることが普通であり、目的とする皮膚病変の各部位に対して均一な光線の照射を行う事は困難であった。したがって、現状の治療装置では、治療者に応じて、また、治療回ごとに光線の照射量にばらつきが生じる、光線の過剰照射による光線皮膚炎をきたす、部位によっては光線の照射量が不足して十分な治療効果が得られないといった状況が発生しうる。紫外線治療では、安定的な治療効果を確保し、治療上の安全性を保証するためにも各個人や各患部に対して適切となる一定のエネルギー量（至適量ともいう）で紫外線を照射できることが好ましく、顔面のような立体的な表面であっても均一に紫外線を照射できる装置が望まれる。また治療者が異なっても所定の至適量で安定して均一に照射できる装置が求められる。
【０００５】
本発明はこうした課題に鑑みてなされたものであり、その例示的な目的のひとつは、立体的な表面に至適量の紫外線を照射できる紫外線治療装置を提供することにある。
【課題を解決するための手段】
【０００６】
上記課題を解決するために、本発明のある態様の紫外線治療装置は、照射対象を囲うように設けられるフレーム構造を含み、フレーム構造内の複数の位置から照射対象に向けて紫外線を照射でき、複数の位置から紫外線の照射方向と同じ方向に可視光を照射できるよう構成される照射装置を備える。
【０００７】
この態様によると、照射対象を囲むフレーム構造の複数の位置から紫外線を照射することができるため、照射対象が立体的な表面を有する場合であっても照射対象となる表面に至適量で紫外線を照射することができる。また、複数の位置から紫外線と同じ方向に可視光を照射できるため、紫外線が照射される位置を可視光を用いて可視化できる。これにより、紫外線が適切な位置に照射されるか否かを可視光を用いて確かめることができ、紫外線治療の有効性や安全性を簡単に確認できる。
【０００８】
照射対象に向けて可視光を照射させた後に、照射対象に向けて紫外線を照射させるよう照射装置を動作させる制御装置をさらに備えてもよい。
【０００９】
照射対象の位置に配置可能な紫外線照度計をさらに備えてもよい。制御装置は、紫外線照度計の測定結果に基づいて照射対象に向けて照射する紫外線の照射時間を決定してもよい。
【００１０】
制御装置は、紫外線照度計の測定結果に基づいて照射対象に向けて複数の位置のそれぞれから照射する紫外線強度を決定してもよい。
【００１１】
照射装置は、フレーム構造内の複数の位置に取り付けられる複数の紫外線発光素子と、複数の紫外線発光素子に隣接する位置に取り付けられる複数の可視光発光素子と、を含んでもよい。複数の可視光発光素子のそれぞれは、隣接する紫外線発光素子の照射方向と同じ方向に可視光を照射するよう構成されてもよい。
【００１２】
照射装置は、紫外線発光素子および可視光発光素子を有する照射部と、照射部をフレーム構造に沿って移動させる移動機構と、を含んでもよい。
【００１３】
照射部は、紫外線発光素子が発する紫外線および可視光発光素子が発する可視光を照射対象に向かうビーム光に変換する光学素子をさらに有してもよい。
【００１４】
照射装置の動作過程が定められる照射パターンを保持し、照射パターンにしたがって移動機構を用いて照射部を移動させながら紫外線を照射させることにより照射対象の一部領域に選択的に紫外線を照射させる制御装置を備えてもよい。制御装置は、照射パターンにしたがって紫外線を照射させる前に、照射パターンにしたがって照射部を移動させながら可視光を照射させることにより一部領域に選択的に可視光を照射してもよい。
【００１５】
フレーム構造に取り付けられ、照射対象を撮影する撮像装置をさらに備えてもよい。制御装置は、撮像装置からの画像データに基づいて照射パターンを決定してもよい。
【００１６】
フレーム構造は、球形状、多面体形状、円柱形状または多角柱形状を有してもよい。
【００１７】
照射装置は、フレーム構造に取り付けられ、紫外線を吸収して可視光を透過する材料で構成されるカバーをさらに含んでもよい。
【発明の効果】
【００１８】
本発明によれば、立体的な表面に対して至適量の紫外線照射が可能な紫外線治療装置を提供できる。
【図面の簡単な説明】
【００１９】
【図１】第１の実施の形態に係る紫外線治療装置の構成を模式的に示す図である。
【図２】照射装置の構成を模式的に示す断面図である。
【図３】照射部の構成を模式的に示す図である。
【図４】フレーム構造の構成を模式的に示す上面図である。
【図５】紫外線の照度を計測する様子を模式的に示す図である。
【図６】紫外線治療装置を用いた治療の流れを示すフローチャートである。
【図７】変形例に係る紫外線治療装置の構成を模式的に示す図である。
【図８】第２の実施の形態に係る紫外線治療装置の構成を模式的に示す図である。
【図９】照射部の構成を模式的に示す図である。
【図１０】紫外線治療装置を用いた治療の流れを示すフローチャートである。
【発明を実施するための形態】
【００２０】
以下、図面を参照しながら、本発明を実施するための形態について詳細に説明する。なお、説明において同一の要素には同一の符号を付し、重複する説明を適宜省略する。
【００２１】
（第１の実施の形態）
図１は、第１の実施の形態に係る紫外線治療装置１００の構成を模式的に示す図である。図２は、照射装置１０の構成を模試的に示す断面図である。紫外線治療装置１００は、球状のフレーム構造２０の内側に取り付けられた複数の照射部３０から紫外線を照射することにより、フレーム構造２０の内部に入る患者９０に紫外線治療を施す装置である。紫外線治療装置１００は、立体的な表面形状を有する顔面の皮膚に対して均一に紫外線を照射するための装置である。
【００２２】
紫外線治療装置１００は、照射装置１０と、制御装置５０と、紫外線照度計５２と、操作端末５４と、を備える。照射装置１０は、フレーム構造２０と、カバー２６と、複数の照射部３０と、を含む。
【００２３】
フレーム構造２０は、球形状のフレーム体であり、照射対象となる患者９０を囲うように設けられる。フレーム構造２０は、複数の第１フレーム２１および第２フレーム２２で構成される。第１フレーム２１は、球体の経線に沿って円弧状に延びる部材である。第２フレーム２２は、球体の緯線に沿って円環状に延びる部材である。第１フレーム２１および第２フレーム２２は、互いが直交して接続されるように組み立てられる。第１フレーム２１および第２フレーム２２は、鉄やアルミニウムなどを含む金属部材で構成されてもよいし、樹脂部材で構成されてもよい。
【００２４】
カバー２６は、フレーム構造２０の全体を覆うようにフレーム構造２０に取り付けられる。カバー２６は、治療に用いる波長の紫外線を吸収する一方で、可視光を透過する材料で構成される。例えば、波長３０８ｎｍの紫外線を吸収し、可視光を透過する材料として、ソーダガラスなどの一般的なガラスや、ポリエチレンテレフタラート（ＰＥＴ）やポリカーボネート（ＰＣ）などの樹脂を用いればよい。カバー２６は、フレーム構造２０の全体にわたって一体的に成形されてもよいし、フレーム間の開口に対応する大きさを有するブロックに分割されていてもよい。
【００２５】
複数の照射部３０は、フレーム構造２０の内側の複数の位置に取り付けられ、例えば、第１フレーム２１や第２フレーム２２に取り付けられる。なお照射部３０は、第１フレーム２１や第２フレーム２２の間の位置に取り付けられてもよい。複数の照射部３０は、例えば、フレーム構造２０の中心Ｏ（図２参照）に紫外線および可視光が向かうように取り付けられる。これにより、複数の照射部３０は、照射対象となる患者９０の顔面に向けて紫外線および可視光を照射する。なお、複数の照射部３０は、紫外線と可視光とがそれぞれ同じ方向に照射されるように構成される。
【００２６】
図３は、照射部３０の構成を模式的に示す図である。照射部３０は、基板３２と、紫外線発光素子３３と、可視光発光素子３４とを有する。紫外線発光素子３３および可視光発光素子３４は、基板３２の上に隣接して実装される。紫外線発光素子３３および可視光発光素子３４は、紫外線発光素子３３が発する紫外線３５と、可視光発光素子３４が発する可視光線３６とが同じ方向に向かうように配置される。
【００２７】
紫外線発光素子３３は、紫外線治療に用いる波長の紫外線を発するＬＥＤ（Light Emitting Diode）やＬＤ（Laser Diode）などの半導体素子である。紫外線発光素子３３として、例えば、中心波長またはピーク波長が３０８ｎｍのＬＥＤが用いられる。このような紫外線発光素子３３として、窒化アルミニウムガリウム（ＡｌＧａＮ）系のＬＥＤが知られている。なお、紫外線発光素子３３は、紫外線治療に用いられる３２０ｎｍ〜４００ｎｍの長波長紫外線（ＵＶＡ波）や、２９０ｎｍ〜３２０ｎｍの中波長紫外線（ＵＶＢ波）の紫外線を出力するＬＥＤであってもよい。
【００２８】
可視光発光素子３４は、可視光を発するＬＥＤやＬＤなどである。可視光発光素子３４は、照射対象となる患者９０に可視光を照射することにより、紫外線が照射されて治療が施される箇所を可視化する。可視光発光素子３４は、視認しやすい色の可視光を発することが望ましく、例えば、赤色、緑色または白色の光を出力する。なお、白斑治療の際に白斑部分を明確に視認できるようにする目的で、ブラックライトと同等の波長であるＵＶＡ波を照射してもよい。この場合、可視光発光素子３４は、ＵＶＡ波の波長範囲の紫外線を出力してもよい。基板３２は、銅（Ｃｕ）やアルミニウム（Ａｌ）等の放熱性の高い金属で構成される。
【００２９】
図４は、フレーム構造２０の構成を模式的に示す上面図である。フレーム構造２０は、第１モジュール２０ａ、第２モジュール２０ｂ、第３モジュール２０ｃの三つのモジュールに分割されている。第１モジュール２０ａは、フレーム構造２０を球体の経線に沿って半分に切断した半球形状を有する。第２モジュール２０ｂおよび第３モジュール２０ｃは、第１モジュール２０ａをさらに経線に沿って半分に切断したような形状を有する。
【００３０】
第２モジュール２０ｂは、第１回動部２３を介して第１モジュール２０ａに回動可能に取り付けられる。第３モジュール２０ｃは、第２回動部２４を介して第２モジュール２０ｂに回動可能に取り付けられる。第２モジュール２０ｂおよび第３モジュール２０ｃを開くことで、フレーム構造２０の内部に患者９０を出入りさせることができる。第２モジュール２０ｂおよび第３モジュール２０ｃを閉じることで、フレーム構造２０が球形状となって内部に入る患者９０を取り囲むことができる。
【００３１】
図５は、紫外線の照度を計測する様子を模式的に示す図であり、フレーム構造２０の内部に紫外線照度計５２を配置した状態を示す。紫外線照度計５２は、例えば、紫外線を検出するセンサ部５２ａがフレーム構造２０の中心Ｏの付近に位置するようにして用いられる。センサ部５２ａの位置は、フレーム構造２０の内部における患者９０の患部位置と一致させて紫外線照度を計測することが望ましい。患部位置で照度を計測することにより、患部に照射される紫外線照度を正確に知ることができる。
【００３２】
紫外線照度計５２が計測する紫外線照度（例えば、Ｗ／ｃｍ２）の値は、制御装置５０に送信される。紫外線照度計５２は、紫外線照度を計測した後にフレーム構造２０の内部から取り出される。紫外線治療の実施前に紫外線の照度を計測することで、患者９０に照射する紫外線の照射量が至適量となるよう適切に制御することができる。
【００３３】
紫外線照度計５２は、フレーム構造２０の内部でセンサ部５２ａの位置を自動的に変化させることのできる計測位置調整機構（不図示）を有してもよい。紫外線照度計５２は、制御装置５０からの指示に基づいてセンサ部５２ａが患部位置に対応する位置に配置されるように計測位置調整機構を動作させてもよい。このような調整機構を設けることで、制御装置５０からの指令に基づいて適切な位置で紫外線照度を計測することができる。
【００３４】
図１に戻り、制御装置５０は、照射装置１０、紫外線照度計５２および操作端末５４と接続される。制御装置５０は、照射装置１０に含まれる複数の照射部３０の動作を制御する。制御装置５０は、複数の照射部３０に紫外線のみを照射させる治療モードと、複数の照射部３０に可視光のみを照射させる確認モードとを提供する。制御装置５０は、照射装置１０を治療モードで動作させる前に確認モードで動作させることにより、照射対象となる患者９０の皮膚にどのように紫外線が照射されるかを可視化して事前に確認できるようにする。
【００３５】
制御装置５０は、操作端末５４を通じて紫外線の照射条件の指定を受け付ける。制御装置５０は、照射条件として紫外線の照射量（例えば、Ｊ／ｃｍ２）の指定を受け付ける。制御装置５０は、紫外線照度計５２を用いて計測した紫外線照度の値から指定された照射量を実現する照射時間を算出する。制御装置５０は、上述の治療モードにおいて照射部３０の紫外線発光素子３３を点灯させ、算出した照射時間の経過後に紫外線発光素子３３を消灯させる。制御装置５０は、操作端末５４の表示部に照射条件や算出した照射時間を表示させてもよい。
【００３６】
制御装置５０は、操作端末５４を通じて紫外線の照射範囲の指定を受け付ける。制御装置５０は、指定された照射範囲に基づいて複数の照射部３０の一部の照射部３０を点灯させ、他の照射部を消灯させる。これにより指定された照射範囲に紫外線が照射されるようにし、他の範囲に紫外線が照射されないようにする。制御装置５０は、紫外線照度計５２の計測に基づいて点灯させる照射部３０の照射強度を決定してもよい。点灯させる照射部３０から出力される紫外線強度を個別に調整することにより、照射範囲内で均一な強度の紫外線が照射されるようにする。
【００３７】
つづいて、紫外線治療装置１００の使用方法について説明する。図６は、紫外線治療装置１００を用いた治療の流れを示すフローチャートである。紫外線の照射量および照射範囲を設定し（Ｓ１０）、照射装置１０の内部に紫外線照度計５２を配置して紫外線照度を計測し（Ｓ１２）、紫外線の照射時間および照射強度を決定する（Ｓ１４）。次に、照射装置１０の内部から紫外線照度計５２を取り出して患者９０を内部に入れる（Ｓ１６）。確認モードでの動作のために可視光がオンにされ（Ｓ１８）、照射位置が確認される。照射位置に問題があれば（Ｓ２０のＮ）、患者９０の位置や照射範囲が調整される（Ｓ２２）。照射位置が適正であれば（Ｓ２０のＹ）、治療モードでの動作のために可視光がオフにされて紫外線がオンにされる（Ｓ２４）。算出した照射時間の経過まで紫外線が照射され（Ｓ２６のＮ）、照射時間が経過すると（Ｓ２６のＹ）、紫外線がオフにされる（Ｓ２８）。
【００３８】
本実施の形態によれば、球形状のフレーム構造２０内の複数の位置から患者９０に向けて紫外線を照射できるため、顔面のような立体的な形状の皮膚に対して均一に紫外線を照射することができる。特に、点光源もしくは線光源を一つだけ用いる場合と比べて、立体的な形状の表面の全体にわたって均一に至適量の紫外線を照射することができる。これにより、部分的に紫外線が強く照射されたり、紫外線の照射量が部分的に足りなくなったりするのを防いで効果的な紫外線治療を実現できる。
【００３９】
本実施の形態によれば、患者９０に可視光を照射して照射位置を事前に確認できるため、意図した位置に紫外線が照射されなかったり、意図しない位置に紫外線が照射されたりするのを防ぐことができる。また、照射位置の確認として可視光を用いるため、医師が確認する際の視認性を高めることができ、確認のために紫外線を照射しなくて済む。これにより、より安全性の高い紫外線治療を実現できる。
【００４０】
本実施の形態によれば、フレーム構造２０が紫外線を吸収し可視光を透過するカバー２６で覆われるため、紫外線の照射中に照射装置１０の外に紫外線が漏れてしまうのを防ぐことができる。また、カバー２６が可視光を透過するため、フレーム構造２０の内部を明るい状態にすることができる。これにより、照射装置１０の内部が暗闇となって患者９０に不安感を与えてしまうのを抑制できる。また、紫外線の照射中の患者９０の様子を外から確認しやすくできる。
【００４１】
図７は、変形例に係る紫外線治療装置１００の構成を模式的に示す図である。本変形例は、照射装置１０のフレーム構造２０が球形状ではなく円筒形状を有する点で上述の実施の形態と相違する。本変形例に係るフレーム構造２０は、軸方向（または鉛直方向）に直線状に延びる複数の第１フレーム２１と、周方向に円環状に延びる複数の第２フレーム２２とを有する。本変形例においても、複数の照射部３０がフレーム構造２０内の異なる位置に設けられるため、患者９０に向けて均一に紫外線を照射することができる。
【００４２】
なお、さらなる変形例では、フレーム構造２０が球形状または円筒形状とは異なる形状を有してもよい。例えば、フレーム構造２０は、サッカーボールのような多面体形状を有してもよいし、直方体や六角柱といった角柱形状を有してもよい。
【００４３】
（第２の実施の形態）
図８は、第２の実施の形態に係る紫外線治療装置２００の構成を模式的に示す図である。紫外線治療装置２００は、球形状のフレーム構造１２０を有する点で上述の実施の形態と共通する。一方、紫外線治療装置２００は、照射部１３０が移動機構１４０に取り付けられており、照射部１３０がＡ方向およびＢ方向に移動可能となるように構成されている点で上述の実施の形態と相違する。以下、上述の実施の形態および変形例との相違点を中心に説明する。
【００４４】
紫外線治療装置２００は、照射装置１１０と、制御装置１５０と、紫外線照度計１５２と、操作端末１５４と、撮像装置１５６と、を備える。照射装置１１０は、フレーム構造１２０と、カバー１２６と、照射部１３０と、移動機構１４０と、を含む。フレーム構造１２０およびカバー１２６は、上述の実施の形態に係るフレーム構造２０およびカバー２６と同様に構成されている。
【００４５】
移動機構１４０は、アーム１４２と、旋回部１４４とを有する。アーム１４２は、第１フレーム１２１と同様に経線に沿って円弧状に延びる部材である。アーム１４２は、フレーム構造１２０の内側に設けられる。アーム１４２は、フレーム構造１２０の頂部に設けられる旋回部１４４に取り付けられ、フレーム構造１２０に沿って第２フレーム１２２が延びる方向（Ａ方向）に旋回可能となるように構成される。旋回部１４４は、制御装置１５０からの制御信号に基づいてアーム１４２のＡ方向の位置を変化させる。
【００４６】
アーム１４２は、照射部１３０がアーム１４２に沿って第１フレーム１２１が延びる方向（Ｂ方向）に移動可能となるようにして照射部１３０を支持する。アーム１４２は、図示しない駆動部を有し、駆動部を動作させることによって照射部１３０のＢ方向の位置を変化させる。アーム１４２は、制御装置１５０からの制御信号に基づいて照射部１３０が移動させる。
【００４７】
図９は、照射部１３０の構成を模式的に示す図である。照射部１３０は、本体１３２と、紫外線発光素子１３３と、可視光発光素子１３４と、第１光学素子１３７と、第２光学素子１３８とを有する。
【００４８】
紫外線発光素子１３３および可視光発光素子１３４は、上述の実施の形態に係る紫外線発光素子３３および可視光発光素子３４と同様に構成される。紫外線発光素子１３３および可視光発光素子１３４は、互いに隣接して本体１３２に取り付けられる。本体１３２は、アーム１４２に沿ってＢ方向に移動可能となるようにアーム１４２に取り付けられる。
【００４９】
第１光学素子１３７は、紫外線発光素子１３３が発する紫外線１３５を均一な強度分布を有するビーム光に変換する。第２光学素子１３８は、可視光発光素子１３４が発する可視光線１３６を均一な強度分布を有するビーム光に変換する。第１光学素子１３７および第２光学素子１３８は、例えば、一以上の非球面レンズにより構成される。第１光学素子１３７および第２光学素子１３８は、紫外線１３５および可視光線１３６のビーム光が同じ方向に向かうように構成され、Ａ方向およびＢ方向の双方に直交する方向にビーム光が向かうように構成される。
【００５０】
図８に戻り、制御装置１５０は、照射部１３０および移動機構１４０の動作を制御する。制御装置１５０は、照射部１３０がフレーム構造１２０の内側に沿ってＡ方向およびＢ方向に移動するように移動機構１４０を動作させる。制御装置１５０は、照射部１３０を移動させながら照射部１３０から紫外線または可視光線のビーム光を出力させることにより、ビーム光が患者９０の顔面上をスキャンして照射するようにする。
【００５１】
制御装置１５０は、照射部１３０および移動機構１４０の動作過程が定められる照射パターンを保持する。照射パターンには、移動機構１４０を用いて移動させる照射部１３０の位置を示す情報や、照射部１３０のそれぞれの位置における紫外線照射のオンオフを示す情報、照射部１３０のそれぞれの位置における紫外線の照射時間を示す情報などが含まれる。照射パターンとして、例えば、患者９０の顔面の一部領域に選択的に紫外線を照射するよう照射部１３０および移動機構１４０を動作させるパターンが設定される。これらの情報は、制御装置１５０の外部に設けられる情報記録媒体に出力されてもよい。
【００５２】
制御装置１５０は、撮像装置１５６が撮影する画像データに基づいて紫外線を照射すべき領域を特定する。撮像装置１５６は、例えば、患者９０の頭部正面に位置するようにフレーム構造１２０の内部に取り付けられている。撮像装置１５６は、フレーム構造１２０に入った患者９０の顔面を撮影し、取得した画像データを制御装置１５０に送信する。制御装置１５０は、画像データを解析して紫外線を照射すべき患部の位置を特定する。制御装置１５０は、紫外線を照射すべき患部の位置を特定するために、電子カルテ等に記録される患部の位置を示す外部情報を参照してもよい。
【００５３】
なお、撮像装置１５６は、フレーム構造１２０の内部に複数設置されてもよい。撮像装置１５６が複数設けられる場合、制御装置１５０は、それぞれの撮像装置１５６が取得した画像データを利用して患者９０の三次元モデルデータを構築してもよい。制御装置１５０は、構築した三次元モデルデータに基づいて紫外線を照射すべき患部の位置を三次元的に特定してもよい。
【００５４】
制御装置１５０は、特定した患部の位置に基づいて、その位置に選択的に紫外線を照射するための照射パターンを生成する。制御装置１５０は、操作端末１５４を通じて紫外線の照射量の設定を受け付けし、設定された照射量となる照射時間を算出する。制御装置１５０は、紫外線照度計１５２を用いて計測された紫外線照度の値を用いて照射時間を算出する。制御装置１５０は、算出した照射時間を照射パターンに反映させる。
【００５５】
制御装置１５０は、紫外線を照射する前に、生成した照射パターンにしたがって可視光を照射させる。制御装置１５０は、生成した照射パターンにしたがって照射部１３０を移動させながら照射部１３０から可視光を出力させる。これにより、可視光が照射される位置を通じて、生成された照射パターンが適正であるかを紫外線照射前に確認できるようにする。照射位置が適正であれば、制御装置１５０は、照射パターンにしたがって紫外線を照射させる。
【００５６】
制御装置１５０は、操作端末１５４やパソコンなどの外部装置を通じて照射パターンの修正を受け付ける。制御装置１５０は、例えば、撮像装置１５６が取得した画像データに照射パターンに対応した照射領域を重畳させた画像を表示することで、患部と照射領域との位置関係を表示させる。制御装置１５０は、例えば、画像データに重畳して表示される照射領域の範囲や位置をマウス操作等で調整できるようにすることで、照射パターンの修正を受け付ける。制御装置１５０は、このようにして、照射パターンの設定または修正を支援してもよい。なお、操作端末１５４やパソコンなどの外部装置を通じて、新たな照射パターンが作成されてもよい。
【００５７】
つづいて、紫外線治療装置２００の使用方法について説明する。図１０は、紫外線治療装置２００を用いた治療の流れを示すフローチャートである。紫外線の照射量を設定し（Ｓ４０）、照射装置１１０の内部に紫外線照度計１５２を配置して紫外線照度を計測する（Ｓ４２）。次に、照射装置１１０の内部から紫外線照度計１５２を取り出して患者９０を内部に入れる（Ｓ４６）。患者９０の患部および患部周辺の画像を撮影し（Ｓ４６）、患部の位置を特定して照射パターンを決定する（Ｓ４８）。決定した照射パターンにしたがって可視光がスキャン照射され（Ｓ５０）、照射位置が確認される。照射位置に問題があれば（Ｓ５２のＮ）、照射パターンが修正され（Ｓ５４）、修正された照射パターンにしたがって再度可視光がスキャン照射される（Ｓ５０）。照射位置が適正であれば（Ｓ５２のＹ）、決定した照射パターンにしたがって紫外光がスキャン照射される（Ｓ５６）。
【００５８】
本実施の形態によれば、紫外線発光素子１３３が発する紫外線を均一な強度分布を有するビーム光に変換してスキャン照射できるため、照射対象となる患部に均一な強度で紫外線を照射できる。また、照射部１３０を球形状のフレーム構造１２０の内側に沿って移動させることができるため、顔面のような立体的な形状に対して照射方向を変えながら均一な強度で紫外線を照射することができる。
【００５９】
本実施の形態によれば、一つの照射部１３０を移動させて紫外線をスキャンして照射するため、第１の実施の形態に係る紫外線治療装置１００と比べて、照射装置１１０に用いる紫外線発光素子１３３の数量を減らすことができる。これにより、紫外線治療装置１００の製造にかかるコストを低減することができる。
【００６０】
本実施の形態によれば、照射部１３０を移動させることにより紫外線を患者９０の皮膚の一部領域に選択的に照射できる。言いかえれば、紫外線を照射する必要のない患部周辺に紫外線が当たらないようにできる。したがって、本実施の形態によれば、患部以外への紫外線照射を防ぐための紫外線を吸収する特殊な保護クリームを塗布する必要がなくなる。これにより、治療前に保護クリームを塗って治療後に除去する手間を省くことができ、医師および患者の負担を軽減することができる。
【００６１】
本実施の形態によれば、撮像装置１５６が撮影する画像に基づいて照射パターンが生成されるため、患者に合わせて照射パターンを一つずつ設定する作業を簡易化できる。また、照射パターンの修正が必要な場合でも、患部と照射位置とが重畳された画像を見ながら調整できるため修正がしやすい。したがって、本実施の形態によれば、照射パターンの設定にかかる医師の手間を低減させることができる。また、生成された照射パターンに基づいて紫外線治療を実施できるので、治療者が異なる場合であっても、同じ条件で紫外線を照射することができる。これにより、治療者の相違に起因して不均一な紫外線治療がなされるのを防ぐことができる。
【００６２】
本実施の形態によれば、また、生成される照射パターンにしたがって可視光をスキャン照射できるため、生成された照射パターンに問題が無いかを事前に確認できる。これにより、紫外線を照射すべき位置に紫外線が当たらなかったり、紫外線を照射すべきでない位置に紫外線が当たってしまったりする誤照射の発生を防ぐことができる。従来の直線状、リング状、平板状に構成される光源を用いる治療装置の場合では、患部が有する立体的表面の部位に応じて照射量の多寡が生じてしまい、過剰な照射量に起因して光線皮膚炎が発生したり、照射量の不足に起因して治療効果が不十分となったりすることがあった。一方、本実施の形態によれば、所定の照射範囲に対して均一な強度で紫外線を照射することが可能となる。したがって、本実施の形態によれば、紫外線治療の安全性を高めるとともに、効果的な紫外線治療を実現できる。
【００６３】
なお、本実施の形態において、フレーム構造１２０の形状は球形状でなくてもよい。フレーム構造１２０は、図７に示した変形例のように円筒形状であってもよいし、サッカーボールのような多面体形状を有してもよいし、直方体や六角柱といった角柱形状を有してもよい。
【００６４】
以上、本発明を実施例にもとづいて説明した。本発明は上記実施の形態に限定されず、種々の設計変更が可能であり、様々な変形例が可能であること、またそうした変形例も本発明の範囲にあることは、当業者に理解されるところである。
【００６５】
上述の実施の形態では、フレーム構造２０の第２モジュール２０ｂおよび第３モジュール２０ｃを手動で開けて、患者９０が主体的にフレーム構造２０の内部に入っていくことで照射準備がなされる構成について示した。変形例においては、照射装置１０の位置を自動的に移動させることのできる移動機構をさらに設けてもよい。この移動機構は、患者９０の位置を変えずに照射装置１０の位置を移動させることで患者９０の周りに照射装置１０を配置し、照射準備がなされるように構成される。
【００６６】
上述の実施の形態では、紫外線照度計５２を手動でフレーム構造２０の内部に配置し、手動で取り外して用いる構成を示した。変形例においては、紫外線照度計５２の使用時にセンサ部５２ａを計測位置まで自動的に移動させ、治療時に計測位置から外れるようセンサ部５２ａを自動的に移動させるための機構をさらに設けてもよい。この機構は、制御装置５０からの指令に基づいてセンサ部５２ａの位置を変化させてもよい。
【００６７】
上述の実施の形態では、図６のＳ１２の処理や図１０のＳ４２の処理に示されるように、紫外線照度を紫外線照射の実施前に毎回計測する場合について示した。変形例においては、紫外線照度を毎回計測するのではなく、照度の計測を省略して紫外線照射を実施してもよい。例えば、所定期間にわたって照射装置が繰り返し使用される場合には、その所定期間内において１回だけ紫外線照度を計測することとし、その計測結果に基づいてそれ以降の紫外線照射を実施してもよい。この所定期間とは、例えば、１日、１週間、１ヶ月、３ヶ月、半年、１年といった特定の期間である。この場合、照射装置は、紫外線照度の再測定をすべき予め設定された次のタイミングを治療者に通知する機能を有してもよい。
【符号の説明】
【００６８】
１０…照射装置、２０…フレーム構造、２６…カバー、３０…照射部、３３…紫外線発光素子、３４…可視光発光素子、５０…制御装置、５２…紫外線照度計、１００…紫外線治療装置、１１０…照射装置、１２０…フレーム構造、１２６…カバー、１３０…照射部、１３３…紫外線発光素子、１３４…可視光発光素子、１４０…移動機構、１５０…制御装置、１５２…紫外線照度計、１５６…撮像装置、２００…紫外線治療装置。
【図１】
0006623346.tif 000002
【図２】
0006623346.tif 000003
【図３】
0006623346.tif 000004
【図４】
0006623346.tif 000005
【図５】
0006623346.tif 000006
【図６】
0006623346.tif 000007
【図７】
0006623346.tif 000008
【図８】
0006623346.tif 000009
【図９】
0006623346.tif 000010
【図１０】
0006623346.tif 000011